(57)【特許請求の範囲】
【請求項１】
プレイヤが楽曲に合わせてゲーム操作を行うゲームを実行するゲーム装置において、
前記プレイヤが前記ゲーム操作を行うべきタイミングである基準タイミングを示す基準タイミングデータを記憶する記憶手段から前記基準タイミングデータを取得する手段と、
前記基準タイミングデータに基づいて、現時点以降の前記基準タイミングを案内する案内画像をゲーム画面に表示させる表示制御手段と、
前記プレイヤによって行われたゲーム操作を検出するゲーム操作検出手段と、
前記基準タイミングデータと、前記ゲーム操作検出手段の検出結果と、に基づいて、前記プレイヤのゲーム操作を評価するゲーム操作評価手段と、
前記ゲーム操作評価手段の評価結果に基づいて前記ゲームを途中終了させる途中終了手段と、
前記ゲームが途中終了するまでに前記プレイヤが実行することができる前記ゲーム操作の残り回数を、前記ゲーム操作評価手段の評価結果に基づいて取得する残り回数情報取得手段と、
を含み、
前記表示制御手段は、
現時点以降の前記基準タイミングのうちで現時点から数えて前記残り回数番目までの基準タイミングである実行可能基準タイミングを案内する案内画像を前記ゲーム画面に表示させ、かつ、現時点以降の前記基準タイミングのうちで前記実行可能基準タイミング以外の基準タイミングを案内する案内画像を表示させないようにする第１の手段、又は、
現時点以降の前記基準タイミングのうちで現時点から数えて前記残り回数番目までの基準タイミングである実行可能基準タイミングを案内する案内画像と、現時点以降の前記基準タイミングのうちで前記実行可能基準タイミング以外の基準タイミングを案内する案内画像と、の表示形態を異ならしめる第２の手段、
を含むことを特徴とするゲーム装置。
【請求項２】
前記ゲーム装置は、前記表示制御手段の前記第１の手段を含み、
前記表示制御手段は、現時点から、現時点以降に訪れる前記基準タイミングのうち訪れる順番が前記残り回数番目の基準タイミングまで、の期間を含んでなる期間を案内対象期間として設定する手段を更に含み、
前記表示制御手段の前記第１の手段は、前記案内対象期間内に含まれる前記実行可能基準タイミングを案内する前記案内画像を前記ゲーム画面に表示させ、
前記表示制御手段は、前記案内対象期間の長さに基づいて、前記実行可能基準タイミングを案内する案内画像の大きさを変更する手段、
を更に含むことを特徴とする請求項１に記載のゲーム装置。
【請求項３】
前記ゲーム装置は、前記表示制御手段の前記第１の手段を含み、
前記表示制御手段は、
現時点から、現時点以降の前記基準タイミングのうちで最後に訪れる最終基準タイミングまでの期間を含んでなる期間を案内対象期間として設定する手段と、
前記案内対象期間内に含まれる前記基準タイミングを案内する前記案内画像を前記ゲーム画面に表示させる手段と、
を含み、
前記表示制御手段の第１の手段は、前記実行可能基準タイミングを案内する案内画像と、前記最終基準タイミングを案内する案内画像と、を前記ゲーム画面に表示させ、かつ、現時点以降の前記基準タイミングのうちで、前記実行可能基準タイミングと、前記最終基準タイミングと、を除く前記基準タイミングを案内する前記案内画像を表示させないようにすることを特徴とする請求項１に記載のゲーム装置。
【請求項４】
前記ゲーム装置は、前記表示制御手段の前記第２の手段を含み、
前記表示制御手段は、
現時点から、現時点以降の前記基準タイミングのうちで最後に訪れる最終基準タイミングまでの期間を含んでなる期間を案内対象期間として設定する手段と、
前記案内対象期間内に含まれる前記基準タイミングを案内する前記案内画像を前記ゲーム画面に表示させる手段と、
を含み、
前記表示制御手段の第２の手段は、前記実行可能基準タイミングを案内する案内画像と、前記案内対象期間内に含まれる前記基準タイミングのうちで前記実行可能基準タイミング以外の前記基準タイミングを案内する案内画像と、の表示形態を異ならしめることを特徴とする請求項１に記載のゲーム装置。
【請求項５】
前記表示制御手段は、前記残り回数が所定範囲の場合、前記第１の手段による前記案内画像の表示をさせないようにする処理、又は、前記第２の手段による前記案内画像の表示形態を異ならしめる処理、を実行しないようにすることを特徴とする請求項１〜４の何れか一項に記載のゲーム装置。
【請求項６】
プレイヤが楽曲に合わせてゲーム操作を行うゲームを実行するゲーム装置としてコンピュータを機能させるプログラムであって、
前記プレイヤが前記ゲーム操作を行うべきタイミングである基準タイミングを示す基準タイミングデータを記憶する記憶手段から前記基準タイミングデータを取得する手段、
前記基準タイミングデータに基づいて、現時点以降の前記基準タイミングを案内する案内画像をゲーム画面に表示させる表示制御手段、
前記プレイヤによって行われたゲーム操作を検出するゲーム操作検出手段、
前記基準タイミングデータと、前記ゲーム操作検出手段の検出結果と、に基づいて、前記プレイヤのゲーム操作を評価するゲーム操作評価手段、
前記ゲーム操作評価手段の評価結果に基づいて前記ゲームを途中終了させる途中終了手段、
前記ゲームが途中終了するまでに前記プレイヤが実行することができる前記ゲーム操作の残り回数を、前記評価手段の評価結果に基づいて取得する残り回数情報取得手段、
を含み、
前記表示制御手段は、
現時点以降の前記基準タイミングのうちで現時点から数えて前記残り回数番目までの基準タイミングである実行可能基準タイミングを案内する案内画像を前記ゲーム画面に表示させ、かつ、現時点以降の前記基準タイミングのうちで前記実行可能基準タイミング以外の基準タイミングを案内する案内画像を表示させないようにする第１の手段、又は、
現時点以降の前記基準タイミングのうちで現時点から数えて前記残り回数番目までの基準タイミングである実行可能基準タイミングを案内する案内画像と、現時点以降の前記基準タイミングのうちで前記実行可能基準タイミング以外の基準タイミングを案内する案内画像と、の表示形態を異ならしめる第２の手段、
を含むゲーム装置として前記コンピュータを機能させることを特徴とするプログラム。
【発明の詳細な説明】
【技術分野】
【０００１】
本発明は、ゲーム装置、ゲーム装置の制御方法、及びプログラムに関する。
【背景技術】
【０００２】
プレイヤが楽曲に合わせてゲーム操作を行うゲーム（以降、単に音楽ゲームという。）が知られている。例えば、音楽ゲームでは、プレイヤがゲーム操作を行うべきタイミング（以下「基準タイミング」と記載する。）が楽曲のテンポに合わせて予め定められている。また、プレイヤに基準タイミングを案内するための画像（案内画像）が、ゲーム画面に表示される（特許文献１）。
【０００３】
例えば、プレイヤは、この案内画像を頼りに、基準タイミングと一致するタイミングでゲーム操作を行うことを目指す。プレイヤが実際にゲーム操作を行ったタイミングと、基準タイミングと、の間のずれ時間が小さいほど、プレイヤは高い評価を得ることができる。例えば、プレイヤが高い評価を得るとプレイヤの得点は増加し、プレイヤが低い評価を受けるとプレイヤの得点は減少する。この得点が所定範囲（例えば０点）になった場合、ゲームが途中終了する（ゲームオーバーになる）。
【先行技術文献】
【特許文献】
【０００４】
【特許文献１】特開２００１−２３１９０４号公報
【発明の概要】
【発明が解決しようとする課題】
【０００５】
このような音楽ゲームでは、例えば、プレイヤの得点に対応する長さのゲージがゲーム画面に表示される。プレイヤは、ゲージを見て自己の得点を把握して、ゲームが途中終了しそうか否かを判断する。
【０００６】
しかしながら、この場合、プレイヤは、ゲージを見るために案内画像から目を離してしまう。プレイヤは案内画像を頼りにゲームをプレイするので、上記のような場合、プレイヤのゲームプレイに好ましくない影響を及ぼす可能性がある。このため、上記のような音楽ゲームでは、ゲームプレイへの影響を抑えつつ、ゲームが途中終了しそうか否かをプレイヤに把握させやすくする必要がある。
【０００７】
本発明は上記課題に鑑みてなされたものであって、その目的は、プレイヤが楽曲に合わせてゲーム操作を行うゲームにおいて、ゲームプレイへの影響を抑えつつ、ゲームが途中終了しそうか否かをプレイヤに把握させやすくするゲーム装置、ゲーム装置の制御方法、及びプログラムを提供することにある。
【課題を解決するための手段】
【０００８】
上記課題を解決するために、本発明に係るゲーム装置は、プレイヤが楽曲に合わせてゲーム操作を行うゲームを実行するゲーム装置において、前記プレイヤが前記ゲーム操作を行うべきタイミングである基準タイミングを示す基準タイミングデータを記憶する記憶手段から前記基準タイミングデータを取得する手段と、前記基準タイミングデータに基づいて、現時点以降の前記基準タイミングを案内する案内画像をゲーム画面に表示させる表示制御手段と、前記プレイヤによって行われたゲーム操作を検出するゲーム操作検出手段と、前記基準タイミングデータと、前記ゲーム操作検出手段の検出結果と、に基づいて、前記プレイヤのゲーム操作を評価するゲーム操作評価手段と、前記ゲーム操作評価手段の評価結果に基づいて前記ゲームを途中終了させる途中終了手段と、前記ゲームが途中終了するまでに前記プレイヤが実行することができる前記ゲーム操作の残り回数に関する情報を前記ゲーム操作評価手段の評価結果に基づいて取得する残り回数情報取得手段と、を含み、前記表示制御手段は、現時点以降の前記基準タイミングのうちで現時点から数えて前記残り回数に対応する数の基準タイミングである実行可能基準タイミングを案内する案内画像を前記ゲーム画面に表示させ、かつ、現時点以降の前記基準タイミングのうちで前記実行可能基準タイミング以外の基準タイミングを案内する案内画像の表示を制限する第１の手段、及び、現時点以降の前記基準タイミングのうちで現時点から数えて前記残り回数に対応する数の基準タイミングである実行可能基準タイミングを案内する案内画像と、現時点以降の前記基準タイミングのうちで前記実行可能基準タイミング以外の基準タイミングを案内する案内画像と、の表示形態を異ならしめる第２の手段、の少なくとも一方を含むことを特徴とする。
【０００９】
また、本発明に係るゲーム装置の制御方法は、プレイヤが楽曲に合わせてゲーム操作を行うゲームを実行するゲーム装置の制御方法において、前記プレイヤが前記ゲーム操作を行うべきタイミングである基準タイミングを示す基準タイミングデータを記憶する記憶手段から前記基準タイミングデータを取得するステップと、前記基準タイミングデータに基づいて、現時点以降の前記基準タイミングを案内する案内画像をゲーム画面に表示させる表示制御ステップと、前記プレイヤによって行われたゲーム操作を検出するゲーム操作検出ステップと、前記基準タイミングデータと、前記ゲーム操作検出ステップの検出結果と、に基づいて、前記プレイヤのゲーム操作を評価するゲーム操作評価ステップと、前記ゲーム操作評価ステップの評価結果に基づいて前記ゲームを途中終了させる途中終了ステップと、前記ゲームが途中終了するまでに前記プレイヤが実行することができる前記ゲーム操作の残り回数に関する情報を前記ゲーム評価ステップの評価結果に基づいて取得する残り回数情報取得ステップと、を含み、前記表示制御ステップは、現時点以降の前記基準タイミングのうちで現時点から数えて前記残り回数に対応する数の基準タイミングである実行可能基準タイミングを案内する案内画像を前記ゲーム画面に表示させ、かつ、現時点以降の前記基準タイミングのうちで前記実行可能基準タイミング以外の基準タイミングを案内する案内画像の表示を制限する第１のステップ、及び、現時点以降の前記基準タイミングのうちで現時点から数えて前記残り回数に対応する数の基準タイミングである実行可能基準タイミングを案内する案内画像と、現時点以降の前記基準タイミングのうちで前記実行可能基準タイミング以外の基準タイミングを案内する案内画像と、の表示形態を異ならしめる第２のステップ、の少なくとも一方を含むことを特徴とする。
【００１０】
また、本発明に係るプログラムは、プレイヤが楽曲に合わせてゲーム操作を行うゲームを実行するゲーム装置としてコンピュータを機能させるプログラムであって、前記プレイヤが前記ゲーム操作を行うべきタイミングである基準タイミングを示す基準タイミングデータを記憶する記憶手段から前記基準タイミングデータを取得する手段、前記基準タイミングデータに基づいて、現時点以降の前記基準タイミングを案内する案内画像をゲーム画面に表示させる表示制御手段、前記プレイヤによって行われたゲーム操作を検出するゲーム操作検出手段、前記基準タイミングデータと、前記ゲーム操作検出手段の検出結果と、に基づいて、前記プレイヤのゲーム操作を評価するゲーム操作評価手段、前記ゲーム操作評価手段の評価結果に基づいて前記ゲームを途中終了させる途中終了手段、前記ゲームが途中終了するまでに前記プレイヤが実行することができる前記ゲーム操作の残り回数に関する情報を前記評価手段の評価結果に基づいて取得する残り回数情報取得手段、を含み、前記表示制御手段、現時点以降の前記基準タイミングのうちで現時点から数えて前記残り回数に対応する数の基準タイミングである実行可能基準タイミングを案内する案内画像を前記ゲーム画面に表示させ、かつ、現時点以降の前記基準タイミングのうちで前記実行可能基準タイミング以外の基準タイミングを案内する案内画像の表示を制限する第１の手段、及び、現時点以降の前記基準タイミングのうちで現時点から数えて前記残り回数に対応する数の基準タイミングである実行可能基準タイミングを案内する案内画像と、現時点以降の前記基準タイミングのうちで前記実行可能基準タイミング以外の基準タイミングを案内する案内画像と、の表示形態を異ならしめる第２の手段、の少なくとも一方を含むゲーム装置として前記コンピュータを機能させることを特徴とする。
【００１１】
また、本発明に係る情報記憶媒体は、上記プログラムを記憶した情報記憶媒体である。
【００１２】
本発明によれば、プレイヤが楽曲に合わせてゲーム操作を行うゲームにおいて、ゲームプレイへの影響を抑えつつ、ゲームが途中終了しそうか否かをプレイヤに把握させやすくなる。
【００１３】
また、本発明の一態様では、前記表示制御手段は、現時点から案内対象期間内に含まれる前記基準タイミングを案内する前記案内画像を前記ゲーム画面に表示させる手段を含み、前記表示制御手段の第１の手段は、現時点から、前記実行可能基準タイミングのうちで最後に訪れる前記実行可能基準タイミングまでの期間を含んでなる期間を前記案内対象期間として設定する手段であって、前記案内対象期間の長さを前記残り回数情報に基づいて変更する手段と、前記案内対象期間の長さに基づいて、前記実行可能基準タイミングを案内する案内画像の大きさを変更する手段と、を更に含むことを特徴とする。
【００１４】
また、本発明の一態様では、前記表示制御手段は、現時点から、現時点以降の前記基準タイミングのうちで最後に訪れる最終基準タイミングまでの期間を含んでなる期間を案内対象期間として設定する手段と、前記案内対象期間内に含まれる前記基準タイミングを案内する前記案内画像を前記ゲーム画面に表示させる手段と、を含み、前記表示制御手段の第１の手段は、前記実行可能基準タイミングを案内する案内画像と、前記最終基準タイミングを案内する案内画像と、を前記ゲーム画面に表示させ、かつ、現時点以降の前記基準タイミングのうちで、前記実行可能基準タイミングと、前記最終基準タイミングと、を除く前記基準タイミングを案内する前記案内画像の表示を制限することを特徴とする。
【００１５】
また、本発明の一態様では、前記表示制御手段は、現時点から、現時点以降の前記基準タイミングのうちで最後に訪れる最終基準タイミングまでの期間を含んでなる期間を案内対象期間として設定する手段と、前記案内対象期間内に含まれる前記基準タイミングを案内する前記案内画像を前記ゲーム画面に表示させる手段と、を含み、前記表示制御手段の第２の手段は、前記実行可能基準タイミングを案内する案内画像と、前記案内対象期間内に含まれる前記基準タイミングのうちで前記実行可能基準タイミング以外の前記基準タイミングを案内する案内画像と、の表示形態を異ならしめることを特徴とする。
【００１６】
また、本発明の一態様では、前記表示制御手段は、前記残り回数が所定範囲の場合、前記第１の手段による前記案内画像の表示を制限する処理、又は、前記第２の手段による前記案内画像の表示形態を異ならしめる処理、の少なくとも一方を制限する手段を含むことを特徴とする。
【図面の簡単な説明】
【００１７】
【図１】本発明の実施形態に係るゲーム装置のハードウェア構成を示す。
【図２】ダンスゲームをプレイするために用いられるコントローラの一例を示す図である。
【図３】表示部に表示されるゲーム画面の一例を示す図である。
【図４】ゲーム装置で実現される機能を示す機能ブロック図である。
【図５】一の楽曲に対応する楽曲データの一例を示す図である。
【図６】基準タイミングデータの一例を示す。
【図７】表示制御部の機能について説明するための図である。
【図８】ずれ時間、評価、及び得点の変化の関係を示す図である。
【図９】第１の手段によって表示制御されたゲーム画面の一例を示す図である。
【図１０】第１の手段によって表示制御されたゲーム画面の一例を示す図である。
【図１１】第１の手段によって表示制御されたゲーム画面の一例を示す図である。
【図１２】第２の手段によって表示制御されたゲーム画面の一例を示す図である。
【図１３】ゲーム装置が実行する処理のうちの、本発明に関連する処理を主に示すフロー図である。
【図１４】ゲーム操作を評価するための処理の一例を示すフロー図である。
【図１５】ゲーム操作を評価するための処理の一例を示すフロー図である。
【図１６】判定期間について説明するための図である。
【図１７】変形例１におけるゲーム画面の一例を示す図である。
【発明を実施するための形態】
【００１８】
［１．実施形態］
以下、本発明の実施形態の例について図面に基づき詳細に説明する。本発明の実施形態に係るゲーム装置は、例えば、家庭用ゲーム機（据置型ゲーム機）、携帯ゲーム機、業務用ゲーム機、携帯電話機、携帯情報端末（ＰＤＡ）、又はパーソナルコンピュータを用いて実現される。ここでは、本発明の実施形態に係るゲーム装置を、家庭用ゲーム機を用いて実現する場合について説明する。
【００１９】
［１−１．ゲーム装置のハードウェア構成］
図１は、本発明の実施形態に係るゲーム装置のハードウェア構成を示す。図１に示すように、ゲーム装置１０は、家庭用ゲーム機１１、表示部３０、音声出力部３１、光ディスク３２、及びメモリカード３３を含む。
【００２０】
表示部３０及び音声出力部３１は、家庭用ゲーム機１１に接続される。例えば、液晶ディスプレイ又はプラズマディスプレイ等の表示装置が、表示部３０として用いられる。また例えば、この表示装置に備えられたスピーカ又はヘッドホンが、音声出力部３１として用いられる。
【００２１】
家庭用ゲーム機１１は、コンピュータシステムであり、バス１２、制御部１３、主記憶１４、画像処理部１５、音声処理部１６、光ディスク再生部１７、メモリカードスロット１８、通信インタフェース（Ｉ／Ｆ）１９、コントローラインタフェース（Ｉ／Ｆ）２０、及びコントローラ２１を含む。
【００２２】
バス１２は、アドレス及びデータを家庭用ゲーム機１１の各部でやり取りするために用いられる。制御部１３、主記憶１４、画像処理部１５、音声処理部１６、光ディスク再生部１７、メモリカードスロット１８、通信インタフェース１９、及びコントローラインタフェース２０は、バス１２によって相互データ通信可能に接続される。
【００２３】
制御部１３は、例えば、一又は複数のマイクロプロセッサを含む。制御部１３は、例えば、光ディスク３２から読み出されるプログラムに基づいて、家庭用ゲーム機１１の各部の制御処理や各種情報処理を実行する。
【００２４】
主記憶１４は、例えば、ＲＡＭを含む。主記憶１４は、光ディスク３２又はメモリカード３３から読み出されたプログラム及びデータが必要に応じて書き込まれる。主記憶１４は、制御部１３の作業用としても用いられる。
【００２５】
画像処理部１５は、例えば、ＶＲＡＭを含む。画像処理部１５は、制御部１３から送られる画像データに基づいてＶＲＡＭ上にゲーム画面を描画する。このゲーム画面は、表示部３０に表示される。
【００２６】
音声処理部１６は、例えば、サウンドバッファを含む。音声処理部１６は、光ディスク３２からサウンドバッファに読み出された各種音声データ（ゲーム音楽、ゲーム効果音、メッセージ等）を音声出力部３１から出力する。
【００２７】
光ディスク再生部１７は、光ディスク３２に記録されたプログラムやデータを読み取る。本実施形態においては、プログラムやデータを家庭用ゲーム機１１に供給するために光ディスク３２が用いられる場合を説明するが、例えば、メモリカード３３等の他のあらゆる情報記憶媒体を用いるようにしてもよい。また、インターネット等のデータ通信網を介して、遠隔地からプログラムやデータを家庭用ゲーム機１１に供給するようにしてもよい。
【００２８】
通信インタフェース１９は、インターネットなどのデータ通信網に通信接続するためのインタフェースである。メモリカードスロット１８は、メモリカード３３を装着するためのインタフェースである。
【００２９】
メモリカード３３は、例えば、不揮発性メモリ（例えばＥＥＰＲＯＭなど）を含む。メモリカード３３は、例えば、セーブデータなどの各種ゲームデータを記憶する。なお、ゲーム装置１０は、ハードディスク装置（補助記憶装置）を備えるようにしてもよい。光ディスク３２又はメモリカード３３に記憶されることとして説明するプログラムやデータは、ハードディスク装置に記憶されるようにしてもよい。
【００３０】
コントローラインタフェース２０は、一又は複数のコントローラ２１を無線接続するためのインタフェースである。なお、コントローラインタフェース２０は、コントローラ２１を有線接続するためのインタフェースとしてもよい。
【００３１】
コントローラ２１は、ゲーム操作を受け付けるための操作部である。コントローラインタフェース２０は、一定周期毎（例えば、１／６０秒毎）にコントローラ２１の各操作部材の状態をスキャンする。コントローラインタフェース２０は、このスキャン結果を表す操作信号を、バス１２を介して制御部１３に供給する。制御部１３は、操作信号に基づいてプレイヤのゲーム操作を判定し、ゲーム処理を実行する。
【００３２】
［１−２．ゲーム装置において実行されるゲーム］
次に、ゲーム装置１０において実行されるゲームについて説明する。ゲーム装置１０では、例えば、プレイヤが楽曲に合わせてゲーム操作を行う音楽ゲームが実行される。以下では、プレイヤが楽曲に合わせてステップを行うダンスゲームが実行される場合を例として説明する。
【００３３】
図２は、ダンスゲームをプレイするために用いられるコントローラ２１の一例を示す図である。図２に示すコントローラ２１は、ダンスステージとして相応しい程度の大きさを有するマット型コントローラである。
【００３４】
図２に示すように、このコントローラ２１には、表面中央に略円形の中央領域２２Ｃが区画表示されている。コントローラ２１の上下左右には、方向ボタン領域２２Ｕ，２２Ｄ，２２Ｌ，２２Ｒが、それぞれ区画表示されている。
【００３５】
また、方向ボタン領域２２Ｕの左右には、丸ボタン領域２３Ａとバツボタン領域２３Ｂとが、区画表示されている。さらに、丸ボタン領域２３Ａの上方には、スタートボタン領域２４Ａが、区画表示されており、バツボタン領域２３Ｂの上方には、セレクトボタン領域２４Ｂが、区画表示されている。
【００３６】
方向ボタン領域２２Ｕ，２２Ｄ，２２Ｌ，２２Ｒ、丸ボタン領域２３Ａ、バツボタン領域２３Ｂ、スタートボタン領域２４Ａ、セレクトボタン領域２４Ｂの下部には、センサが埋め込まれている。プレイヤが各領域に足を載せた場合、センサは、プレイヤの圧力を検知する。この検知信号が、操作信号として家庭用ゲーム機１１に送られる。
【００３７】
なお、コントローラ２１は、図２に示した例に限られない。例えば、コントローラ２１は、プレイヤが手で持って使用する一般的なゲームコントローラ（方向ボタン又は十字ボタン等を備えたゲームコントローラ）であってもよい。
【００３８】
本実施形態のダンスゲームにおいては、予め用意された複数の楽曲のうちのいずれかが、プレイヤによって選択される。そして、選択された楽曲が再生される。即ち、この楽曲が音声出力部３１から出力される。
【００３９】
また、楽曲ごとに、方向ボタン領域２２Ｕ，２２Ｄ，２２Ｌ，２２Ｒが踏まれるべきタイミング（以下「基準タイミング」と記載する。）が定められている。プレイヤは、この基準タイミングと一致するタイミングで、方向ボタン領域２２Ｕ，２２Ｄ，２２Ｌ，２２Ｒを踏むことを目指す。
【００４０】
図３は、表示部３０に表示されるゲーム画面の一例を示す図である。図３に示すように、ゲーム画面４０内の左側領域は、方向ボタン領域２２Ｕ，２２Ｄ，２２Ｌ，２２Ｒを踏むべきタイミングをプレイヤに案内するための案内領域４１になっている。
【００４１】
案内領域４１内の上側領域には、基準マーク４２Ｌ，４２Ｄ，４２Ｕ，４２Ｒ（以降、まとめて単に基準マーク４２ともいう。）が、横一列に表示されている。また、基準マーク４２Ｌ，４２Ｄ，４２Ｕ，４２Ｒの下側には、例えば、互いに略同じ大きさの複数のタイミング案内マーク４３（案内画像）が、表示されている。タイミング案内マーク４３は、時間経過に伴って下から上に向かって徐々に移動する。つまり、タイミング案内マーク４３は、基準マーク４２Ｌ，４２Ｄ，４２Ｕ，４２Ｒに接近する。
【００４２】
基準マーク４２Ｌは、方向ボタン領域２２Ｌに対応する。方向ボタン領域２２Ｌが踏まれるべきタイミング（基準タイミング）が訪れると、タイミング案内マーク４３は、基準マーク４２Ｌに到達し、基準マーク４２Ｌに重なる。また、基準マーク４２Ｄは、方向ボタン領域２２Ｄに対応する。方向ボタン領域２２Ｄが踏まれるべきタイミング（基準タイミング）が訪れると、タイミング案内マーク４３は基準マーク４２Ｄに到達し、基準マーク４２Ｄに重なる。
【００４３】
同様に、基準マーク４２Ｕは、方向ボタン領域２２Ｕに対応する。方向ボタン領域２２Ｕが踏まれるべきタイミング（基準タイミング）が訪れると、タイミング案内マーク４３は、基準マーク４２Ｕに到達し、基準マーク４２Ｕに重なる。また、基準マーク４２Ｒは方向ボタン領域２２Ｒに対応する。方向ボタン領域２２Ｒが踏まれるべきタイミング（基準タイミング）が訪れると、タイミング案内マーク４３は、基準マーク４２Ｒに到達し、基準マーク４２Ｒに重なる。
【００４４】
このように、プレイヤは、基準マーク４２Ｌ，４２Ｄ，４２Ｕ，４２Ｒに徐々に接近するタイミング案内マーク４３を頼りに、方向ボタン領域２２Ｕ，２２Ｄ，２２Ｌ，２２Ｒを踏むべきタイミングを把握できるようになっている。
【００４５】
プレイヤは、方向ボタン領域２２Ｕ，２２Ｄ，２２Ｌ，２２Ｒに対応する基準タイミングが訪れた場合、方向ボタン領域２２Ｕ，２２Ｄ，２２Ｌ，２２Ｒを足で踏むことによって、高評価を得ることができる。なお、基準タイミングと完全に一致するタイミングでプレイヤが方向ボタン領域２２Ｕ，２２Ｄ，２２Ｌ，２２Ｒを踏まなければ評価を得ることができないという訳ではなく、その一致度に応じて評価が与えられる。
【００４６】
例えば、一致度に基づいて、「ＭＡＲＶＥＬＯＵＳ」、「ＰＥＲＦＥＣＴ」、「ＧＲＥＡＴ」、「ＧＯＯＤ」、「ＡＬＭＯＳＴ」、及び「ＢＯＯ」のうちのいずれかの評価が与えられる。なお、これらの評価を高いものから順に並べると、「ＭＡＲＶＥＬＯＵＳ」、「ＰＥＲＦＥＣＴ」、「ＧＲＥＡＴ」、「ＧＯＯＤ」、「ＡＬＭＯＳＴ」、「ＢＯＯ」となる。即ち、「ＭＡＲＶＥＬＯＵＳ」が、最も高い評価であり、「ＢＯＯ」が、最も低い評価である。
【００４７】
ゲーム画面４０の案内領域４１内には、評価結果４４が表示される。図３に示すゲーム画面４０は、「ＰＥＲＦＥＣＴ」の評価が与えられた場合を示している。この場合、例えば、「ＰＥＲＦＥＣＴ」との評価結果４４が、案内領域４１内に表示される。
【００４８】
また、ゲーム画面４０の案内領域４１内には、コンボ数４５が表示される。コンボ数４５は、比較的高い評価（例えば「ＭＡＲＶＥＬＯＵＳ」、「ＰＥＲＦＥＣＴ」、又は「ＧＲＥＡＴ」）が、連続して与えられた回数である。
【００４９】
本実施形態においては、上記の評価に基づいて値が変動する得点が、プレイヤに与えられる。即ち、プレイヤの得点は、評価結果４４に基づいて変化する。例えば、プレイヤが高い評価を得た場合やコンボが続いている場合には、得点が加算される。一方、プレイヤが低い評価を得た場合には、得点が減算される。
【００５０】
楽曲の再生中に得点が所定範囲（例えば、０）になった場合、ゲームは途中終了（ゲームオーバー）する。一方、楽曲の再生が終了するまでに得点が所定範囲（例えば、０）にならなかった場合、ゲームがクリアされたことになる。
【００５１】
本実施形態においては、プレイヤのゲーム操作によって得点が増減するので、この得点は、ゲームオーバーまでにプレイヤがあと何回ゲーム操作を失敗できるか、を示す指標となる。本実施形態においては、ゲーム装置１０は、プレイヤがタイミング案内マーク４３から目を離さずに得点を把握することができるように、得点に応じてタイミング案内マーク４３に関する表示制御を行う。
【００５２】
つまり、プレイヤは、タイミング案内マーク４３を見てゲームをプレイしながら、得点を把握することができるようになる。以下、この技術について詳細に説明する。
【００５３】
［１−３．ゲーム装置において実現される機能］
まず、ゲーム装置１０で実現される機能について説明する。図４は、ゲーム装置１０で実現される機能を示す機能ブロック図である。図４に示すように、ゲーム装置１０は、ゲームデータ記憶部５０、表示制御部５１、ゲーム操作検出部５２、ゲーム操作評価部５３、途中終了部５４、及び残り回数情報取得部５５を含む。
【００５４】
ゲームデータ記憶部５０は、例えば、光ディスク３２及びメモリカード３３によって実現される。一方、その他の機能ブロックは、例えば、制御部１３が光ディスク３２に記憶されたプログラムを実行することによって実現される。
【００５５】
［１−３−１．ゲームデータ記憶部］
ゲームデータ記憶部５０は、ゲームを実行するために必要なデータを記憶する。例えば、ゲームデータ記憶部５０には、複数の楽曲データが記憶される。
【００５６】
図５は、一の楽曲に対応する楽曲データの一例を示す図である。図５に示すように、楽曲データは、オリジナル楽曲データ及び基準タイミングデータを含んでいる。オリジナル楽曲データは、例えば、一般のポピュラー音楽等を所定のデータ形式で保存したものである。
【００５７】
基準タイミングデータは、楽曲を再生した際にプレイヤがゲーム操作を行うべきタイミング（基準タイミング）を定義したデータである。本実施形態の場合、方向ボタン領域２２Ｕ，２２Ｄ，２２Ｌ，２２Ｒを踏む行為（ステップ）が、例えば、「ゲーム操作」に相当する。また例えば、方向ボタン領域２２Ｕ，２２Ｄ，２２Ｌ，２２Ｒが踏まれるべきタイミングが、「基準タイミング」に相当する。この基準タイミングデータは、例えば、楽曲のテンポ（リズム）を考慮して作成される。
【００５８】
図６は、基準タイミングデータの一例を示す。図６に示すｔ軸は、時間軸である。ｔ軸は、楽曲の再生が開始されてからの時間経過を示している。例えば、基準タイミングデータは、１／２５６小節の単位で、方向ボタン領域２２Ｕ，２２Ｄ，２２Ｌ，２２Ｒが踏まれるべきタイミングを示す。なお、図６では、説明を簡略化するために、１小節が８分割されたデータを示す。即ち、１／８小節の単位で、方向ボタン領域２２Ｕ，２２Ｄ，２２Ｌ，２２Ｒが踏まれるべきタイミングが、図６に示されている。
【００５９】
図６に示すように、１／８小節の各時点において方向ボタン領域２２Ｌ，２２Ｄ，２２Ｕ，２２Ｒが踏まれるべきか否かは、例えば、４ビットのデータによって表される。図６において、「Ｌ」のビットは、方向ボタン領域２２Ｌに対応する。「０」は、方向ボタン領域２２Ｌを踏むべきでないことを示している。一方、「１」は、方向ボタン領域２２Ｌを踏むべきことを示している。
【００６０】
同様に、「Ｄ」、「Ｕ」、「Ｒ」のビットは、それぞれ、方向ボタン領域２２Ｄ，２２Ｕ，２２Ｒに対応する。即ち、この４ビットのデータのうち少なくとも一つが「１」になっているデータは、基準タイミングを示すデータといえる。
【００６１】
また例えば、ゲームデータ記憶部５０は、プレイヤの得点を示す得点データを記憶する。得点データは、プレイヤの評価に基づいて値が変化する。本実施形態においては、プレイヤが高い評価を得た場合には、得点データの値が増加する。一方、プレイヤが低い評価を得た場合には、得点データの値が減少する。ゲームの開始時点においては、得点データには初期値（例えば、１００点）が定められていてよい。
【００６２】
［１−３−２．表示制御部］
表示制御部５１は、基準タイミングデータに基づいて、現時点以降の基準タイミングを案内する案内画像（例えば、タイミング案内マーク４３）をゲーム画面に表示させる。例えば、表示制御部５１は、基準タイミングデータに基づいてゲーム画面４０の表示制御を行う。即ち例えば、表示制御部５１は、ゲーム画面４０の所定領域（例えば、案内領域４１）内において、タイミング案内マーク４３を基準マーク４２Ｌ，４２Ｄ，４２Ｕ，４２Ｒの表示位置（基準位置）に向けて徐々に移動させる。
【００６３】
図７は、表示制御部５１の機能について説明するための図である。つまり、図７は、基準タイミングデータとタイミング案内マーク４３の表示位置との関係を示す図である。楽曲が再生されている間、現時点以降の所定期間（例えば、時刻ｔ０〜ｔ１の間。以下、「案内対象期間」と記載する。）のデータが基準タイミングデータから読み出される。
【００６４】
なお、本実施形態においては、例えば、ｎ／８小節（ｎ：１以上の整数。図７の場合、ｎ＝８。詳細は後述するが、ｎは、プレイヤの得点に応じて可変である。）に対応する期間が、案内対象期間として設定される場合を説明する。上記の読み出されたデータに基づいて、案内対象期間内の基準タイミングを案内するためのタイミング案内マーク４３がゲーム画面４０に表示される。
【００６５】
タイミング案内マーク４３の表示位置は、タイミング案内マーク４３と基準マーク４２Ｌ，４２Ｄ，４２Ｕ，４２Ｒとの間の距離が、基準タイミングが到来するまでの時間に対応する距離になるように調整される。例えば、プレイヤが方向ボタン領域２２Ｌを踏むべき基準タイミングが到来するまでの時間が短くなるにつれて、タイミング案内マーク４３から基準マーク４２Ｌまでの距離が短くなる。
【００６６】
上記のように、本実施形態においては、表示制御部５１は、現時点から案内対象期間内に含まれる基準タイミングを案内する案内画像（例えば、タイミング案内マーク４３）をゲーム画面４０に表示させる手段を含む場合を説明する。
【００６７】
［１−３−３．ゲーム操作検出部］
ゲーム操作検出部５２は、プレイヤによって行われたゲーム操作を検出する。例えば、ゲーム操作検出部５２は、プレイヤによって方向ボタン領域２２Ｌ，２２Ｄ，２２Ｕ，２２Ｒが踏まれたか否かを、コントローラ２１から供給される操作信号に基づいて判定することによって、ゲーム操作を検出する。
【００６８】
［１−３−４．ゲーム操作評価部］
ゲーム操作評価部５３は、基準タイミングデータと、ゲーム操作検出部５２の検出結果と、に基づいて、プレイヤのゲーム操作を評価する。例えば、ゲーム操作評価部５３は、基準タイミングデータが示す基準タイミングと、プレイヤが実際にゲーム操作を行ったタイミング（以下「操作タイミング」と記載する。）と、の間のずれに基づいて、そのゲーム操作を評価する。例えば、基準タイミングと操作タイミングとのずれ時間が小さいほど、ゲーム操作の評価は高くなる。
【００６９】
本実施形態の場合、例えば、方向ボタン領域２２Ｕを踏むべきタイミング（基準タイミング）と、プレイヤが実際に方向ボタン領域２２Ｕを踏んだタイミング（操作タイミング）とのずれ時間に基づいて、「ＭＡＲＶＥＬＯＵＳ」、「ＰＥＲＦＥＣＴ」、「ＧＲＥＡＴ」、「ＧＯＯＤ」、「ＡＬＭＯＳＴ」、又は「ＢＯＯ」のいずれかが評価として決定される。この評価に応じて、得点データの値が増減する。
【００７０】
図８は、ずれ時間（ΔＴ）、評価、及び得点の変化の関係を示す図である。この関係を示すデータは、例えば、ゲームデータ記憶部５０に記憶されていてよい。例えば、ずれ時間（ΔＴ）は、操作タイミングが基準タイミングよりも早い場合に負の値になる。一方、例えば、ずれ時間（ΔＴ）は、操作タイミングが基準タイミングよりも遅れた場合に正の値になる。方向ボタン領域２２Ｄ，２２Ｌ，２２Ｒについても、方向ボタン領域２２Ｕと同様にして評価が行われる。
【００７１】
また、本実施形態においては、図８のように、評価と、得点の変化の程度と、が対応付けられている。即ち、得点の増減の程度は、評価結果に基づいて決定されることになる。図８に示すデータ格納例では、評価が「ＭＡＲＶＥＬＯＵＳ」、「ＰＥＲＦＥＣＴ」、「ＧＲＥＡＴ」の場合、プレイヤの得点が加算される。また例えば、評価が「ＧＯＯＤ」の場合、プレイヤの得点は変化しない。また例えば、評価が「ＡＬＭＯＳＴ」、「ＢＯＯ」の場合、プレイヤの得点は減少する。
【００７２】
なお、得点の増減の程度は、プレイヤの評価に基づいて決定されるようにすればよく、上記の例に限られない。本実施形態においては、図８のような得点の決定方法を例に挙げて説明するが、他にも例えば、コンボ数が考慮されて得点が増減するようにしてもよい。また例えば、ゲームの難易度によって得点の変化の程度が異なっていてもよい。即ち、得点は、プレイヤの評価に基づいて予め定められた方法によって増減するようにすればよい。
【００７３】
［１−３−５．途中終了部］
途中終了部５４は、ゲーム操作評価部５３の評価結果に基づいてゲームを途中終了させる。例えば、途中終了部５４は、実行中のゲームが予め定められた途中終了条件を満足するか否かを評価結果に基づいて判定し、満足する場合にゲームを途中終了させる。本実施形態においては、プレイヤの得点が所定範囲（例えば、０）になると、途中終了部５４がゲームを途中終了させる場合について説明する。
【００７４】
なお、途中終了条件は、ゲーム装置１０がゲーム操作評価部５３の評価結果に基づいて判定できる条件であればよく、上記の例に限られない。例えば、途中終了条件は、プレイヤのゲーム操作の数に関する条件であってよい。例えば、プレイヤが比較的低い評価を得た回数が所定回数以上となった場合にゲームが途中終了するようにしてもよい。
【００７５】
［１−３−６．残り回数情報取得部］
残り回数情報取得部５５は、ゲームが途中終了するまでにプレイヤが行うことができるゲーム操作の残り回数に関する情報（以降、残り回数情報という。）をゲーム操作評価部５３の評価結果に基づいて取得する。残り回数とは、ゲームが途中終了条件を満たすまでに、プレイヤが最低限行うことができるゲーム操作の数のことである。
【００７６】
本実施形態においては、残り回数情報が得点データである場合を説明する。即ち、本実施形態においては、得点データは、プレイヤのゲーム操作の評価によって値が変化し、値が所定範囲になった場合にゲームが途中終了するものであるので、得点データは、上記の残り回数を示す指標として用いることができる。
【００７７】
本実施形態の場合、残り回数情報取得部５５は、ゲームデータ記憶部５０に記憶される得点データ（残り回数情報）を取得することになる。つまり、本実施形態における残り回数とは、得点データが所定範囲になるまでに最低限行うことができるゲーム操作の数のことである。
【００７８】
例えば、得点が図８に示すように増減して、かつ、得点が０点になるとゲームが途中終了する場合を考える。プレイヤの得点が５０点である場合、プレイヤが「ＢＯＯ」の評価を連続して５回続けて得ると５０点減算されて得点が０点になる。即ち、ゲームが途中終了する。したがって、この場合、得点データ（残り回数情報）が示す残り回数は、５回となる。
【００７９】
なお、得点データから残り回数が算出される方法は、予め定められた方法であればよい。例えば、残り回数は、得点データと予め記憶される情報とに基づいて算出されるようにすればよい。例えば、予め定められた数式に得点を代入して残り回数が取得されたり、得点と残り回数とが対応づけられたデータテーブルによって残り回数が取得されるようにしてよい。
【００８０】
また、残り回数情報として用いられる情報は、得点データに限られない。残り回数情報は、ゲーム操作評価部５３の評価結果に基づいて変更される情報であればよい。例えば、上記の例の場合、「５回」を示す情報が、残り回数情報として用いられてもよい。この場合、残り回数情報取得部５５は、ゲームデータ記憶部５０に記憶される情報（例えば、得点データ）から残り回数情報を算出することによって、「５回」を示す残り回数情報を取得することになる。
【００８１】
他にも例えば、プレイヤが低い評価を得るたびに失敗回数が増加して、この失敗回数が所定範囲になった場合にゲームが途中終了する場合、失敗回数を示すデータを残り回数情報として用いてもよい。
【００８２】
ゲーム装置１０は、残り回数情報取得部５５が取得する残り回数情報が示す残り回数を、プレイヤがゲームをプレイしながら把握できるように、ゲーム画面４０の表示制御を行う。以下、この表示制御を実現するための機能について説明する。
【００８３】
［表示制御部の第１の手段］
本実施形態においては、表示制御部５１は、現時点以降の基準タイミングのうちで、現時点から数えて残り回数に対応する数の基準タイミングである実行可能基準タイミングを案内する案内画像（例えば、タイミング案内マーク４３）をゲーム画面４０に表示させ、かつ、現時点以降の基準タイミングのうちで当該実行可能基準タイミング以外の基準タイミングを案内する案内画像の表示を制限する第１の手段を含む。
【００８４】
残り回数に対応する数とは、残り回数情報が示す残り回数に基づいて定まる数のことである。残り回数に対応する数は、残り回数情報が示す残り回数（例えば、５回）と同じ回数であってもよいし、残り回数よりも多い回数（例えば、７回）であっても、残り回数よりも少ない回数（例えば、３回）であってもよい。本実施形態においては、残り回数に対応する数が、残り回数と同じ回数の場合を説明する。
【００８５】
現時点から数えて残り回数に対応する数（ｘとする。）の基準タイミング（実行可能基準タイミング）とは、現時点以降に訪れる基準タイミングのうちの、訪れる順番が１番目からｘ番目までの基準タイミングのことである。表示制御部５１の第１の手段は、実行可能基準タイミングに対応するタイミング案内マーク４３がゲーム画面４０に含まれ、かつ、実行可能基準タイミング以外の基準タイミングに対応するタイミング案内マーク４３がゲーム画面４０に含まれないように表示制御を行うことになる。
【００８６】
本実施形態においては、表示制御部５１は、例えば、実行可能基準タイミングを、残り回数情報と基準タイミングデータとに基づいて判断（取得）する手段を含む場合を説明する。例えば、表示制御部５１の第１の手段は、現時点から、実行可能基準タイミングのうちで最後に訪れる実行可能基準タイミングまでの期間を含んでなる期間を案内対象期間として設定する手段であって、案内対象期間の長さを残り回数情報に基づいて変更する手段を含む。
【００８７】
別の言い方をすれば、表示制御部５１の第１の手段は、例えば、案内対象期間に含まれる基準タイミングの数（例えば、５個）が残り回数に対応する数（例えば、５個）になるように案内対象期間を変更することによって、実行可能基準タイミングを取得する手段を含む。この場合、案内対象期間は、プレイヤがミスを続けた場合にゲームオーバーになるまでにプレイすることのできる残り時間に相当することになる。
【００８８】
なお、案内対象期間は、残り回数情報に基づいて設定されるようにすればよい。上記の他にも例えば、残り回数情報と案内対象期間とが対応付けられたテーブルや数式等に基づいて案内対象期間が決定されるようにしてもよい。
【００８９】
例えば、残り回数情報が示す残り回数が多ければ多いほど、案内対象期間が長く設定される。即ち、残り回数情報が示す残り回数が多ければ多いほど、プレイヤが失敗できる回数も多くなるので、ゲームオーバーまでに迎えることのできる基準タイミングの数も多くなる。
【００９０】
ここでは、例えば、図７に示す基準タイミングデータにおいて、案内対象期間内に含まれる４ビットのデータのうち「１」を含んでいるデータの数と、残り回数に対応する数と、が一致するように、案内対象期間が変更される場合について説明する。
【００９１】
別の言い方をすれば、ゲーム画面４０に含まれるタイミング案内マーク４３が示す基準タイミングの数と、残り回数情報が示す残り回数と、が一致するように案内対象期間が変更される。この結果、ゲーム画面４０に含まれるタイミング案内マーク４３の数が、残り回数情報に基づいて変更されることになる。
【００９２】
図９は、第１の手段によって表示制御されたゲーム画面４０の一例を示す図である。図９は、残り回数が９回である場合に表示されるゲーム画面４０を示す。図９に示すように、例えば、ゲーム画面４０には、残り回数と同じ数の９個の実行可能基準タイミングを示すタイミング案内マーク４３（つまり、９列分のタイミング案内マーク４３）が含まれるように表示制御が行われる。別の言い方をすれば、この９個の実行可能基準タイミング以外の基準タイミングに対応するタイミング案内マーク４３が、ゲーム画面４０に含まれず、表示が制限されるともいえる。
【００９３】
また、ここでは、案内対象期間に含まれる実行可能基準タイミングの数（又は、ゲーム画面４０に含まれるタイミング案内マーク４３の数）の変化に伴って、タイミング案内マーク４３の大きさも変化する場合について説明する。
【００９４】
この場合、表示制御部５１の第１の手段は、案内対象期間の長さに基づいて、実行可能基準タイミングを案内する案内画像（例えば、タイミング案内マーク４３）の大きさを変更する手段を含むことになる。例えば、本実施形態のように、タイミング案内マーク４３がゲーム画面４０の下端部（第１の位置）から上端部（第２の位置）に対して移動する場合、表示制御部５１の第１の手段は、下端部と上端部との距離（つまり、ゲーム画面４０の表示領域の幅）と、案内対象期間の長さと、に基づいてタイミング案内マーク４３の大きさを変更する。
【００９５】
ここで、タイミング案内マーク４３の大きさが変化する様子について詳しく説明する。例えば、現在のプレイヤの得点をＸ点（例えば、９０点）とし、「ＢＯＯ」の評価の場合にＹ点（例えば、１０点）だけ減少する場合、残り回数情報が示す残り回数は、Ｘ／Ｙ回（例えば、９回）となる。また例えば、このＸ／Ｙ個分の「１」のデータ（即ち、実行可能基準タイミング）を含む案内対象期間を、ｎ／８小節（例えば、ｎ＝１６）とする。
【００９６】
ゲーム画面４０の案内領域４１には、例えば、案内対象期間に含まれる基準タイミングのタイミング案内マーク４３が含まれる。したがって、タイミング案内マーク４３の縦幅ｄｋ（ｋは、１以上ｎ以下の整数）は、ゲーム画面４０の表示領域の縦幅Ｈ（例えば、１６００ピクセル分の長さ）をｎで割った値（ｄｋ＝Ｈ／ｎ。例えば、ｄｋ＝１００ピクセル分の長さ）となる。
【００９７】
図９の場合、現時点以降に訪れる基準タイミングにおいて、プレイヤがゲーム操作を全てミスした場合には、縦幅ｄ１６の位置にあるタイミング案内マーク４３の基準タイミングまでしか迎えることができないことになる。
【００９８】
このようにして、案内対象期間に含まれる実行可能基準タイミングを示すタイミング案内マーク４３の全てが、ゲーム画面４０の表示領域に含まれるように、タイミング案内マーク４３の大きさが制御される。
【００９９】
プレイヤが高い評価を続けて得た場合には、得点が増加して案内対象期間が長くなり、ゲーム画面４０に含まれるタイミング案内マーク４３の数も多くなるので、縦幅ｄｋは減少する。一方、プレイヤが低い評価を続けて得た場合には、得点が減少して案内対象期間が短くなり、ゲーム画面４０に含まれるタイミング案内マーク４３の数も少なくなるので、るので、縦幅ｄｋは増加する。
【０１００】
図１０は、第１の手段によって表示制御されたゲーム画面４０の一例を示す図である。図１０は、残り回数が２回である場合に表示されるゲーム画面４０を示す。図１０に示すように、例えば、ゲーム画面４０には、残り回数と同じ数の２個のタイミング案内マーク４３が含まれる。
【０１０１】
即ち、図９に示すゲーム画面４０の状態からプレイヤが続けてミスをした場合、得点が減少して残り回数が少なくなるので、ゲーム画面に含まれるタイミング案内マーク４３の数も少なくなる。この場合、縦幅ｄｋが増加し（例えば、縦幅ｄｋが、１００ピクセル分の長さから４００ピクセル分の長さに増加する）、基準マーク４２及びタイミング案内マーク４３は、ともに大きくなる。
【０１０２】
このように、残り回数情報に基づいて案内対象期間が変化するため、タイミング案内マーク４３の大きさも変化する。したがって、ゲームオーバーになりそうな場合はタイミング案内マーク４３が大きくなるので、プレイヤはタイミング案内マーク４３から視線をそらさずに、あと何回ミスをすることができるか、を把握することができる。
【０１０３】
なお、タイミング案内マーク４３の大きさが案内対象期間の長さに基づいて決定されるようにすればよく、大きさの決定方法は、上記の例に限られない。他にも例えば、タイミング案内マーク４３の縦幅と案内対象期間の長さとが対応づけられたテーブルに基づいて、タイミング案内マーク４３の大きさが決定されるようにしてもよい。
【０１０４】
また例えば、タイミング案内マーク４３の縦幅ではなく、大きさに関する値（例えば、横幅や縮小率、拡大率等）が、案内対象期間の長さに基づいて決定されることによって、タイミング案内マーク４３の大きさが決定されるようにしてもよい。
【０１０５】
また、表示制御部５１の第１の手段が、実行可能基準タイミング以外の基準タイミングを示すタイミング案内マーク４３の表示を制限する方法は、案内対象期間を変化させる方法に限られない。他にも例えば、案内対象期間を変化させずに、実行可能基準タイミング以外の基準タイミングを案内する案内画像を表示させないようにしてもよい。
【０１０６】
図１１は、第１の手段によって表示制御されたゲーム画面４０の一例を示す図である。例えば、案内対象期間に５つの基準タイミングが含まれる場合であって、かつ、残り回数が３回の場合を考える。この場合、図１１のように、現時点に近い順に３つの実行可能基準タイミングを案内するタイミング案内マーク４３を表示させ、他の２つの基準タイミングを案内するタイミング案内マーク４３’（模式的に点線で示す）を透明にすることによって表示が制限されるようにしてもよい。
【０１０７】
この場合、表示制御部５１の第１の手段は、案内対象期間に含まれる基準タイミングのうちで実行可能基準タイミングを案内するタイミング案内マーク４３を表示させ、案内対象期間に含まれる基準タイミングのうちで実行可能基準タイミング以外の基準タイミングを案内するタイミング案内マーク４３を表示させないようにする。
【０１０８】
また、表示制御部５１が、残り回数をプレイヤに把握させる方法は、第１の手段による方法に限られない。例えば、以下のようにしてもよい。
【０１０９】
［表示制御部の第２の手段］
表示制御部５１は、現時点以降の前記基準タイミングのうちで現時点から数えて残り回数に対応する数の基準タイミングである実行可能基準タイミングを案内する案内画像（例えば、タイミング案内マーク４３）と、現時点以降の前記基準タイミングのうちで実行可能基準タイミング以外の基準タイミングを案内する案内画像と、の表示形態を異ならしめる第２の手段を含む、ようにしてもよい。
【０１１０】
即ち、ゲーム画面４０に含まれるタイミング案内マーク４３に対応する基準タイミングの数（即ち、案内対象期間に含まれる基準タイミングの数。例えば、５つ。）が、残り回数に対応する数（例えば、２つ）よりも多い場合、ゲーム画面４０に含まれるタイミング案内マーク４３の表示形態が異なることになる。
【０１１１】
図１２は、第２の手段によって表示制御されたゲーム画面４０の一例を示す図である。図１２は、残り回数が２回であり、かつ、案内対象期間に含まれる基準タイミングが５つである場合に表示されるゲーム画面４０を示す。図１２に示すように、例えば、ゲーム画面４０には、案内対象期間に含まれる５つの基準タイミングを示すタイミング案内マーク４３が含まれる。
【０１１２】
残り回数が２回である場合、ゲーム画面４０に含まれる５つのタイミング案内マーク４３のうち、現時点に近い２個のタイミング案内マーク４３を所定の輝度で表示させ、他の３つのタイミング案内マーク４３（即ち、ゲームオーバーになってしまい、プレイヤがゲーム操作を行えない可能性があるタイミング案内マーク４３）を、例えば、この輝度よりも低い輝度で表示させる。
【０１１３】
この状態でプレイヤが高い評価を続けて得た場合には、得点が増加する。即ち、残り回数が増加するので、輝度が高くて見やすい表示形態のタイミング案内マーク４３の数も増加する。一方、プレイヤが低い評価を続けて得た場合には、得点が減少する。即ち、残り回数が減るので、見やすい表示形態のタイミング案内マーク４３の数も変化する。このようにすることによって、プレイヤは、あと何回ミスをしたらゲームオーバーになってしまうか、をタイミング案内マーク４３から目をそらさずに把握することができる。
【０１１４】
なお、本実施形態においては、第２の手段が、輝度を変化させる処理を行う場合を説明するが、所定の画像処理を行うことによってタイミング案内マーク４３の表示形態を異ならしめるようにしればよく、表示制御の方法は、これに限られない。
【０１１５】
他にも例えば、第２の手段は、残り回数に対応する数の基準タイミング以外の基準タイミングのタイミング案内マーク４３に対して、ぼかし処理、色変換処理、大きさを変更する処理、点滅させて表示させる処理、異なる画像に置き換える処理等を行って表示形態を異ならしめるようにしてもよい。また例えば、これらの少なくとも一つを実行するようにすればよく、これらの複数を組み合わせて表示制御が行われてもよい。
【０１１６】
なお、本実施形態においては、表示制御部５１が、第１の手段と第２の手段の両者を含んでいる場合を説明するが、表示制御部５１は、第１の手段と第２の手段の少なくとも一方を含んでいればよい。また、図９〜図１２においては、評価結果４４及びコンボ数４５の図示を省略したが、図９〜図１２においても、ゲーム画面４０に評価結果４４及びコンボ数４５が含まれていてよい。
【０１１７】
［１−４．ゲーム装置において実行される処理］
次に、ゲーム装置１０が実行する処理について説明する。図１３は、ゲーム装置１０が実行する処理のうちの、本発明に関連する処理を主に示すフロー図である。制御部１３は、光ディスク３２に記憶されるプログラムに従って、図１３に示す処理を実行する。
【０１１８】
図１３に示すように、まず制御部１３は楽曲の再生を開始する（Ｓ１０１）。そして、制御部１３（ゲーム操作評価部５３）は、ゲーム操作（ステップ）を評価する（Ｓ１０２）。
【０１１９】
図１４及び図１５は、ゲーム操作を評価するための処理の一例を示すフロー図である。図１４及び図１５に示す処理は、方向ボタン領域２２Ｕ，２２Ｄ，２２Ｌ，２２Ｒの各々について実行される。なお、ここでは、方向ボタン領域２２Ｕを踏む操作を評価する場合を例に説明する。
【０１２０】
図１４に示すように、まず、制御部１３は、現時点が判定期間内であるか否かを判定する（Ｓ２０１）。
【０１２１】
図１６は、判定期間について説明するための図である。図１６においてｔ軸は時間軸を示す。「Ａ」は、方向ボタン領域２２Ｕが踏まれるべきタイミングを示す。即ち、「Ａ」は、方向ボタン領域２２Ｕに対応する基準タイミングを示す。「Ｂ１」及び「Ｂ２」は、方向ボタン領域２２Ｕが踏まれたタイミングを示す。即ち、「Ｂ１」及び「Ｂ２」は、操作タイミングを示す。
【０１２２】
本実施形態において、基準タイミングごとに判定期間が設定される。図１６において、「Ｌ」は判定期間を示している。判定期間（Ｌ）は、基準タイミング（Ａ）と、基準タイミング（Ａ）から所定時間前までの期間と、基準タイミング（Ａ）から所定時間後までの期間と、を含む期間である。図１６における判定期間（Ｌ）は、基準タイミング（Ａ）を中心とする一定期間である。
【０１２３】
判定期間（Ｌ）では、この期間内の最初の操作タイミングが、評価対象として取り扱われる。例えば、図１６に示す例では、判定期間（Ｌ）において、二つの操作タイミング（Ｂ１，Ｂ２）が存在しているが、この場合、１回目の操作タイミング（Ｂ１）が基準タイミング（Ａ）との比較対象とされる。２回目以降の操作タイミング（Ｂ２）は基準タイミング（Ａ）との比較対象から除かれる。このようにする理由は、基準タイミング（Ａ）付近でプレイヤが方向ボタン領域２２Ｕを何度も繰り返し踏んだような場合であっても、評価が適切に行われるようにするためである。
【０１２４】
図１４に戻り、現時点が判定期間内でないと判定された場合（Ｓ２０１；Ｎ）、制御部１３は、本処理を終了する。つまり、制御部１３は、図１３のＳ１０３の処理を実行する。
【０１２５】
一方、現時点が判定期間内であると判定された場合（Ｓ２０１；Ｙ）、制御部１３は、操作済みフラグが「０」であるか否かを判定する（Ｓ２０２）。操作済みフラグは、主記憶１４等に記憶され、現在の判定期間において方向ボタン領域２２Ｕが踏まれた否かを示す情報である。操作済みフラグは、０又は１の値をとる。「０」は、方向ボタン領域２２Ｕが踏まれていないことを示す。一方、「１」は、方向ボタン領域２２Ｕが踏まれたことを示す。
【０１２６】
操作済みフラグが「０」でない場合（Ｓ２０２；Ｎ）、制御部１３は、図１４及び図１５のＳ２０３〜Ｓ２１１の処理を実行せずに、後述のＳ２１２の処理を実行する。
【０１２７】
一方、操作済みフラグが「０」である場合（Ｓ２０２；Ｙ）、制御部１３（ゲーム操作検出部５２）は、方向ボタン領域２２Ｕが踏まれたか否かを判定する（Ｓ２０３）。この判定は、コントローラ２１から供給される操作信号に基づいて行われる。
【０１２８】
方向ボタン領域２２Ｕが踏まれていないと判定された場合（Ｓ２０３；Ｎ）、制御部１３は、図１４及び図１５のＳ２０４〜Ｓ２１１の処理を実行せずに、後述のＳ２１２の処理を実行する。一方、方向ボタン領域２２Ｕが踏まれたと判定された場合、制御部１３は操作済みフラグを「１」に更新する（Ｓ２０４）。
【０１２９】
さらに、制御部１３は、基準タイミングと操作タイミングとのずれ時間（ΔＴ）を取得する（Ｓ２０５）。このずれ時間（ΔＴ）は、操作タイミングが基準タイミングよりも早い場合に負の値になる。一方、ずれ時間（ΔＴ）は、操作タイミングが基準タイミングよりも遅れている場合に正の値になる。
【０１３０】
制御部１３は、Ｓ２０５で取得されたずれ時間（ΔＴ）に基づいて評価を決定する（Ｓ２０６）。例えば、図８に示すデータに基づいて評価が決定される。制御部１３は、Ｓ２０６で決定された評価が「ＭＡＲＶＥＬＯＵＳ」、「ＰＥＲＦＥＣＴ」、又は「ＧＲＥＡＴ」のいずれかであるか否かを判定する（Ｓ２０７）。
【０１３１】
評価が「ＭＡＲＶＥＬＯＵＳ」、「ＰＥＲＦＥＣＴ」、又は「ＧＲＥＡＴ」のいずれかである場合（Ｓ２０７；Ｙ）、制御部１３は、主記憶１４に記憶されるコンボ数及び得点を加算する（Ｓ２０８）。得点の加算の程度は、例えば、図８のデータに基づいて決定される。
【０１３２】
一方、評価が「ＭＡＲＶＥＬＯＵＳ」、「ＰＥＲＦＥＣＴ」、及び「ＧＲＥＡＴ」のいずれでもないと判定された場合（Ｓ２０７；Ｎ）、制御部１３はコンボ数を０にして得点を維持又は減少させる（Ｓ２０９）。得点の減少の程度は、例えば、図８のデータに基づいて決定される。
【０１３３】
次いで、制御部１３は、表示変更条件を満たすか否かを判定する（Ｓ２１０）。表示変更条件とは、表示制御部５１の第１の手段又は第２の手段による表示制御が行われるための予め定められた条件である。例えば、ゲーム操作が連続している場合等に、タイミング案内マーク４３の大きさが短期間で変化すると、プレイヤにとってタイミング案内マーク４３が見づらくなってしまう可能性がある。そこで、表示変更条件を定めておくことによって、この問題の発生を防止することができる。
【０１３４】
例えば、表示変更条件は、残り回数情報が示す残り回数が所定範囲（例えば、５回以下）であるか否かを示す条件であってもよい。この場合、表示制御部５１は、残り回数が所定範囲の場合、第１の手段による表示の制限処理、又は、第２の手段による表示形態を異ならしめる処理、の少なくとも一方を制限する手段を含む。つまり、残り回数が所定範囲になってゲームオーバーになりそうな場合にのみ、図９〜図１２に示すような表示制御処理が実行されることになる。
【０１３５】
なお、表示変更条件は、上記の例に限られない。他にも例えば、表示変更条件は、前回表示変更が行われてから一定時間が経過したか否か等であってもよい。
【０１３６】
図１４に戻り、表示変更条件を満たすと判定された場合（Ｓ２１０；Ｙ）、制御部１３は、残り回数情報に基づいてゲーム画面４０の表示内容を決定する（Ｓ２１１）。Ｓ２１１においては、例えば、主記憶１４に記憶された得点データ（残り回数情報）に基づいて、図９〜図１２のような表示制御が行われるように、ゲーム画面４０の表示内容が決定される。
【０１３７】
例えば、表示制御部５１の第１の手段によって、残り回数情報が示す残り回数に基づいて案内対象期間が変更されることによって、実行可能基準タイミング以外の基準タイミングを案内するタイミング案内マーク４３の表示が制限される。
【０１３８】
また例えば、表示制御部５１の第２の手段によって、現時点から数えて残り回数に対応する数の基準タイミングを案内する画像の輝度を、案内対象期間に含まれる他の基準タイミングを案内する案内画像の輝度よりも高くし、これらの表示形態を互いに異ならしめる。
【０１３９】
なお、Ｓ２１１においては、第１の手段又は第２の手段の少なくとも一方の表示制御処理が実行されればよい。第１の手段及び第２の手段の両方によって表示制御処理が実行される場合、案内対象期間に含まれる基準タイミングのうちで実行可能基準タイミング以外の基準タイミングを案内するタイミング案内マーク４３（例えば、５つ）の一部（例えば３つ）の表示が制限され、他のタイミング案内マーク４３（例えば、２つ）の表示形態が異なるものにされる。
【０１４０】
また、表示変更条件と、第１の手段又は第２の手段を識別する情報と、を対応づけて記憶しておき、条件が満たされた表示変更条件に基づいて実行すべき処理が特定されるようにしてもよい。
【０１４１】
図１５に移り、制御部１３は、判定期間の終了タイミングが到来したか否かを判定する（Ｓ２１２）。判定期間の終了タイミングが到来していない場合（Ｓ２１２；Ｎ）、制御部１３は、本処理を終了する。つまり、制御部１３は、図１３のＳ１０３の処理を実行する。
【０１４２】
一方、判定期間の終了タイミングが到来した場合（Ｓ２１２；Ｙ）、制御部１３は、操作済みフラグが「０」であるか否かを判定する（Ｓ２１３）。操作済みフラグが「０」である場合とは、判定期間内に方向ボタン領域２２Ｕが踏まれなかった場合である。
【０１４３】
操作済みフラグが「０」である場合（Ｓ２１３；Ｙ）、制御部１３は、評価を最も低いものに決定する（Ｓ２１４）。この場合、例えば、コンボ数が０になり、得点が所定値だけ減少する。そして、制御部１３は、本処理を終了する。つまり、制御部１３は、図１３のＳ１０３の処理を実行する。
【０１４４】
一方、操作済みフラグが「０」でない場合（Ｓ２１３；Ｎ）、制御部１３は、操作済みフラグを「０」に更新する（Ｓ２１５）。そして、制御部１３は、本処理を終了する。つまり、制御部１３は、図１３のＳ１０３の処理を実行する。
【０１４５】
ゲーム操作（ステップ）を評価するための処理（図１４及び図１５）が実行された後、図１４に示すように、制御部１３（表示制御部５１）は、ゲーム画面４０を更新する（Ｓ１０３）。Ｓ１０３においては、例えば、Ｓ２１１において決定された表示内容に基づいてゲーム画面４０が更新される。また例えば、基準タイミングデータに基づいて、新たなタイミング案内マーク４３が表示されたり、既に表示されているタイミング案内マーク４３の表示位置が更新されたりする。
【０１４６】
その後、制御部１３は、得点が所定範囲になったか否かを判定する（Ｓ１０４）。得点が所定範囲になった場合（Ｓ１０４；Ｙ）、制御部１３は、ゲームオーバー画面を表示し（Ｓ１０７）、本処理を終了する。
【０１４７】
一方、得点が所定範囲になっていない場合（Ｓ１０４；Ｎ）、制御部１３は、楽曲の再生が終了したか否かを判定する（Ｓ１０５）。楽曲の再生が終了していない場合（Ｓ１０５；Ｎ）、Ｓ１０２の処理が再実行される。一方、楽曲の再生が終了した場合、制御部１３は、ゲーム成績画面を表示し（Ｓ１０６）、本処理を終了する。
【０１４８】
以上説明したゲーム装置１０によれば、ゲームオーバーになるまでにプレイヤが行うことができるゲーム操作の回数に基づいてゲーム画面４０の表示制御が行われる。例えば、残り回数に応じてタイミング案内マーク４３の数や大きさ、表示形態が変化することによって、ゲーム画面４０自体が、プレイヤがゲームオーバーまでにプレイできるステップ数（又は、プレイ可能時間。即ち案内対象期間。）を示すことになる。したがって、プレイヤは、あと何回ゲーム操作を失敗したらゲームオーバーになるかを、タイミング案内マーク４３から目をそらすことなく把握することができる。
【０１４９】
また、残り回数が所定範囲になり、ゲームオーバーになりそうな状況になった場合にのみ、上記の表示制御が行われるので、プレイヤが特にゲームオーバーのタイミングを意識しなくてよい状況においては、タイミング案内マーク４３の表示形態等を変化させないことができる。
【０１５０】
［２．変形例］
なお、本発明は、以上に説明した実施の形態に限定されるものではない。本発明の趣旨を逸脱しない範囲で、適宜変更可能である。
【０１５１】
［２−１．変形例１］
例えば、ゲーム画面４０には、現時点から楽曲の終りまでの基準タイミングを案内するタイミング案内マーク４３が含まれるようにしてもよい。このようにすることによって、プレイヤは、ゲームをクリアするために、あとどのくらい得点を得なければならないか、をゲーム画面４０で認識することができる。
【０１５２】
変形例１の場合、表示制御部５１は、現時点から、現時点以降の基準タイミングのうちで最後に訪れる最終基準タイミングまでの期間を含んでなる期間を案内対象期間として設定する手段を含む。この場合、案内対象期間は、例えば、現時点から楽曲の終りまでの期間となる。
【０１５３】
また、表示制御部５１は、案内対象期間内に含まれる基準タイミングを案内する案内画像（例えば、タイミング案内マーク４３）をゲーム画面４０に表示させる手段を含む。
【０１５４】
表示制御部５１の第１の手段は、実行可能基準タイミングを案内する案内画像（例えば、タイミング案内マーク４３）と、最終基準タイミングを案内する案内画像と、をゲーム画面４０に表示させ、かつ、現時点以降の前記基準タイミングのうちで、実行可能基準タイミングと、最終基準タイミングと、を除く基準タイミングを案内する案内画像の表示を制限する。表示の制限の方法は、実施形態と同様である。
【０１５５】
また例えば、ゲームクリアまであとどのくらい高い評価を得たらよいか、をプレイヤに把握させるために、表示制御部５１の第２の手段を用いてもよい。この場合、表示制御部５１の第２の手段は、実行可能基準タイミングを案内する案内画像（例えば、タイミング案内マーク４３）と、案内対象期間内に含まれる前記基準タイミングのうちで前記実行可能基準タイミング以外の前記基準タイミングを案内する案内画像と、の表示形態を異ならしめる。
【０１５６】
図１７は、変形例１におけるゲーム画面４０の一例を示す図である。図１７に示すように、ゲーム画面４０には、現時点から楽曲の終了までの基準タイミングを案内するタイミング案内マーク４３が含まれる。例えば、縦幅ｄ１６の領域（即ち、１６列目）に表示されているタイミング案内マーク４３が、最終基準タイミングを示している。即ち、変形例１においては、最終基準タイミングを案内するタイミング案内マーク４３が、少なくともゲーム画面４０に含まれる。
【０１５７】
また、図１７は、第１の手段及び第２の手段の両者によって表示制御されたゲーム画面４０を示している。図１７に示すように、例えば、操作可能基準タイミング以外の基準タイミングのタイミング案内マーク４３に対して、表示制御部５１の第１の手段及び第２の手段によって表示制御が行われる。
【０１５８】
プレイヤの得点が増加すると、表示が制限されていたタイミング案内マーク４３が表示されたり、輝度の高いタイミング案内マーク４３の数が増加して、最終的には、ゲーム画面４０内の全てのタイミング案内マーク４３が表示されるようになる。このようにすることによって、プレイヤは、あとどれだけ高い評価を得たらゲームオーバーにならずにゲームクリアをすることができるか、をタイミング案内マーク４３から目線をそらすことなく把握することができる。
【０１５９】
［２−２．その他変形例］
なお、以上に説明したゲームを二人のプレイヤが同時にプレイすることも可能である。この場合、ゲーム画面４０内の左側領域が、一方のプレイヤに対応する案内領域４１になる。一方、ゲーム画面４０内の右側領域が、他方のプレイヤに対応する案内領域４１になる。
【０１６０】
表示制御部５１の第１手段又は第２手段は、それぞれのプレイヤに対応する案内領域４１に対して、実施形態及び変形例と同様の処理を行う。即ち例えば、ゲームオーバーになるまでにプレイヤが失敗できるゲーム操作の回数を示すように、タイミング案内マーク４３の表示が制御される。二人以上のプレイヤがゲームをプレイする場合も、上記と同様の処理が実行される。
【０１６１】
また例えば、本発明は、ダンスゲーム以外の音楽ゲームにも適用することができる。本発明は、プレイヤが楽曲に合わせてゲーム操作を行うゲームに適用することができる。
【符号の説明】
【０１６２】
１０  ゲーム装置、１１  家庭用ゲーム機、１２  バス、１３  制御部、１４  主記憶、１５  画像処理部、１６  音声処理部、１７  光ディスク再生部、１８  メモリカードスロット、１９  通信インタフェース、２０  コントローラインタフェース、２１  コントローラ、２２Ｃ  中央領域、２２Ｕ，２２Ｄ，２２Ｌ，２２Ｒ  方向ボタン領域、２３Ａ  丸ボタン領域、２３Ｂ  バツボタン領域、２４Ａ  スタートボタン領域、２４Ｂ  セレクトボタン領域、３０  表示部、３１  音声出力部、３２  光ディスク、３３  メモリカード、４０  ゲーム画面、４１  案内領域、４２，４２Ｕ，４２Ｄ，４２Ｌ，４２Ｒ  基準マーク、４３  タイミング案内マーク、４４  評価結果、４５  コンボ数、５０  ゲームデータ記憶部、５１  表示制御部、５２  ゲーム操作検出部、５３  ゲーム操作評価部、５４  途中終了部、５５  残り回数情報取得部。
【図１】
0005670121.tif 000002
【図２】
0005670121.tif 000003
【図３】
0005670121.tif 000004
【図４】
0005670121.tif 000005
【図５】
0005670121.tif 000006
【図６】
0005670121.tif 000007
【図７】
0005670121.tif 000008
【図８】
0005670121.tif 000009
【図９】
0005670121.tif 000010
【図１０】
0005670121.tif 000011
【図１１】
0005670121.tif 000012
【図１２】
0005670121.tif 000013
【図１３】
0005670121.tif 000014
【図１４】
0005670121.tif 000015
【図１５】
0005670121.tif 000016
【図１６】
0005670121.tif 000017
【図１７】
0005670121.tif 000018